(57)【要約】【課題】停止時の画像を確認させる役割と、照明としての役割を果たす画像を投写することが可能なプロジェクタ等を提供すること。【解決手段】プロジェクタ１００が、画像情報に基づくソース画像表示領域と、当該ソース画像表示領域以外の未使用領域とを含む画像を投写する投写部１６０と、通常投写状態から照明状態に遷移する照明遷移状態になったかどうかを判定する判定部１２０と、前記照明遷移状態になった場合に前記未使用領域の明るさ値を上げるように投写部１６０を制御する制御部１５０とを含んで構成される。【選択図】図１
2008176139.tif 000002
【特許請求の範囲】
【請求項１】
画像情報に基づくソース画像表示領域と、当該ソース画像表示領域以外の未使用領域とを含む画像を投写する投写部と、
通常投写状態から照明状態に遷移する照明遷移状態になったかどうかを判定する判定部と、
前記照明遷移状態になった場合に前記未使用領域の明るさ値を上げるように前記投写部を制御する制御部と、
を含むことを特徴とするプロジェクタ。
【請求項２】
請求項１に記載のプロジェクタにおいて、
ユーザーの操作情報を入力する入力部を含み、
前記判定部は、前記操作情報が、前記画像情報に基づくソース画像の表示停止または表示中断を指示する情報である場合に前記照明遷移状態になったと判定することを特徴とするプロジェクタ。
【請求項３】
請求項１に記載のプロジェクタにおいて、
前記判定部は、前記画像情報に基づき、前記画像情報に基づくソース画像が一定時間以上変化しない場合に前記照明遷移状態になったと判定することを特徴とするプロジェクタ。
【請求項４】
請求項１〜３のいずれかに記載のプロジェクタにおいて、
前記画像情報に基づくソース画像のアスペクト比と、前記投写部における画像表示領域のアスペクト比とに基づき、前記未使用領域を把握する未使用領域把握部を含むことを特徴とするプロジェクタ。
【請求項５】
請求項４に記載のプロジェクタにおいて、
前記未使用領域把握部は、画像全体に占める前記未使用領域の割合が所定値未満かどうかを判定し、
前記制御部は、当該割合が所定値未満の場合、前記ソース画像表示領域を縮小させるように前記投写部を制御することを特徴とするプロジェクタ。
【請求項６】
請求項１〜５のいずれかに記載のプロジェクタにおいて、
前記制御部は、前記照明遷移状態になった場合に前記通常投写状態における前記未使用領域の明るさ値を記憶し、前記照明状態から前記通常投写状態に復帰する場合に前記未使用領域が当該明るさ値で投写されるように前記投写部を制御することを特徴とするプロジェクタ。
【請求項７】
画像情報に基づくソース画像表示領域と、当該ソース画像表示領域以外の未使用領域とを含む画像を投写する投写部を含むプロジェクタの有するコンピュータにより読み取り可能なプログラムであって、
コンピュータを、
通常投写状態から照明状態に遷移する照明遷移状態になったかどうかを判定する判定部と、
前記照明遷移状態になった場合に前記未使用領域の明るさ値を上げるように前記投写部を制御する制御部として機能させることを特徴とするプログラム。
【請求項８】
画像情報に基づくソース画像表示領域と、当該ソース画像表示領域以外の未使用領域とを含む画像を投写する投写部を含むプロジェクタの有するコンピュータにより読み取り可能なプログラムを記憶した情報記憶媒体であって、
請求項７に記載のプログラムを記憶した情報記憶媒体。
【発明の詳細な説明】
【技術分野】
【０００１】
本発明は、プロジェクタ、プログラムおよび情報記憶媒体に関する。
【背景技術】
【０００２】
一般的に家庭でプロジェクタを用いてＤＶＤ等を再生することによって映画鑑賞する場合、プロジェクタは照明のない状態で使用される。このような場合、ＤＶＤの再生を停止したり、中断したりすると、ユーザーは、照明のない状態で作業を行う必要があり、作業しづらい。
【０００３】
このような問題を解決するため、特開２００５−９４４７５号公報では、操作部からの停止信号に基づき、停止中である旨を示す案内画像を、照明を兼ねる所定の明度で投写するプロジェクタが記載されている。
【特許文献１】特開２００５−９４４７５号公報
【発明の開示】
【発明が解決しようとする課題】
【０００４】
しかし、特開２００５−９４４７５号公報の手法では、ＤＶＤの再生を中断した場合、ユーザーは、再生再開時にどの場面から再開されるかを把握することは困難である。また、当該公報では、案内画像の一部として一時停止した時の画像を用いることが記載されているが、元の画像と大きく変わってしまうため、ユーザーに違和感を与えてしまう。
【０００５】
本発明の目的は、停止時の画像を確認させる役割と、照明としての役割を果たす画像を投写することが可能なプロジェクタ、プログラムおよび情報記憶媒体を提供することにある。
【課題を解決するための手段】
【０００６】
上記課題を解決するため、本発明に係るプロジェクタは、画像情報に基づくソース画像表示領域と、当該ソース画像表示領域以外の未使用領域とを含む画像を投写する投写部と、通常投写状態から照明状態に遷移する照明遷移状態になったかどうかを判定する判定部と、前記照明遷移状態になった場合に前記未使用領域の明るさ値を上げるように前記投写部を制御する制御部と、を含むことを特徴とする。
【０００７】
また、本発明に係るプログラムは、画像情報に基づくソース画像表示領域と、当該ソース画像表示領域以外の未使用領域とを含む画像を投写する投写部を含むプロジェクタの有するコンピュータにより読み取り可能なプログラムであって、コンピュータを、通常投写状態から照明状態に遷移する照明遷移状態になったかどうかを判定する判定部と、前記照明遷移状態になった場合に前記未使用領域の明るさ値を上げるように前記投写部を制御する制御部として機能させることを特徴とする。
【０００８】
また、本発明に係る情報記憶媒体は、画像情報に基づくソース画像表示領域と、当該ソース画像表示領域以外の未使用領域とを含む画像を投写する投写部を含むプロジェクタの有するコンピュータにより読み取り可能なプログラムを記憶した情報記憶媒体であって、上記プログラムを記憶したことを特徴とする。
【０００９】
本発明によれば、プロジェクタは、ソース画像表示領域を含む画像を投写することにより、停止時の画像をユーザーに確認させることができる。また、本発明によれば、プロジェクタは、照明遷移状態になった場合に未使用領域を明るくすることにより、照明としての役割を果たす画像を投写することができる。
【００１０】
また、前記プロジェクタは、ユーザーの操作情報を入力する入力部を含み、前記判定部は、前記操作情報が、前記画像情報に基づくソース画像の表示停止または表示中断を指示する情報である場合に前記照明遷移状態になったと判定してもよい。
【００１１】
これによれば、プロジェクタは、ユーザーの指示に応じて照明としての役割を果たす画像を投写することができる。
【００１２】
また、前記判定部は、前記画像情報に基づき、前記画像情報に基づくソース画像が一定時間以上変化しない場合に前記照明遷移状態になったと判定してもよい。
【００１３】
これによれば、プロジェクタは、ソース画像の状態に応じて照明としての役割を果たす画像を投写することができる。
【００１４】
また、前記プロジェクタは、前記画像情報に基づくソース画像のアスペクト比と、前記投写部における画像表示領域のアスペクト比とに基づき、前記未使用領域を把握する未使用領域把握部を含んでもよい。
【００１５】
これによれば、プロジェクタは、アスペクト比の相違に応じて未使用領域を把握することができる。
【００１６】
また、前記未使用領域把握部は、画像全体に占める前記未使用領域の割合が所定値未満かどうかを判定し、前記制御部は、当該割合が所定値未満の場合、前記ソース画像表示領域を縮小させるように前記投写部を制御してもよい。
【００１７】
これによれば、プロジェクタは、未使用領域の割合が少なすぎる場合に未使用領域の割合を増加させることにより、画像全体の明るさを増加させ、照明としての役割を果たす画像を投写することができる。
【００１８】
また、前記制御部は、前記照明遷移状態になった場合に前記通常投写状態における前記未使用領域の明るさ値を記憶し、前記照明状態から前記通常投写状態に復帰する場合に前記未使用領域が当該明るさ値で投写されるように前記投写部を制御してもよい。
【００１９】
これによれば、プロジェクタは、通常投写状態に復帰する際に未使用領域の明るさ値を元の値に戻すことにより、ユーザーに違和感を与えることなく、画像を鑑賞させることができる。
【発明を実施するための最良の形態】
【００２０】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
第１の実施例では、プロジェクタが、投写画像における画像情報に基づくソース画像表示領域以外の未使用領域をアスペクト比に基づいて把握し、再生中断時に未使用領域を照明として用いる例について説明する。
【００２２】
図１は、第１の実施例におけるプロジェクタ１００の機能ブロック図である。プロジェクタ１００は、ＤＶＤプレーヤー１７０を内蔵している。また、プロジェクタ１００は、ユーザーの操作情報を入力する入力部１１０と、種々の判定を行う判定部１２０と、画像情報に基づくソース画像表示領域以外の未使用領域を把握する未使用領域把握部１３０と、種々のデータを記憶する記憶部１４０と、種々の制御を行う制御部１５０と、投写部１６０とを含んで構成されている。また、投写部１６０は、画像を生成する画像生成部１６２と、当該画像を投写する画像投写部１６４とを含んで構成されている。
【００２３】
なお、これらの各部は、例えば、以下のハードウェアを用いてプロジェクタ１００に実装することが可能である。例えば、入力部１１０としてはリモコン（リモートコントローラ）からの信号を受信する赤外受信ユニット等、判定部１２０、未使用領域把握部１３０、制御部１５０としてはＣＰＵ等、記憶部１４０としてはＲＡＭ等、画像生成部１６２としては画像処理回路等、画像投写部１６４としてはランプ、液晶パネル、投写レンズ等が採用されてもよい。
【００２４】
また、プロジェクタ１００は、これらの各部の機能を実装するためのプログラムを記憶した情報記憶媒体２００から当該プログラムを読み取って各部の機能を実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２５】
次に、これらの各部を用いた処理の流れについて説明する。図２は、第１の実施例における通常投写状態、照明状態、通常投写状態と変化する場合の処理の流れを示すフローチャートである。
【００２６】
ＤＶＤプレーヤー１７０が映画等のＤＶＤを再生中の場合、すなわち、通常投写状態の場合、画像生成部１６２は、ＤＶＤプレーヤー１７０からの画像情報に基づくソース画像（例えば、映画の画像等）を含む画像を生成し、画像投写部１６４は、当該画像を投写する（ステップＳ１）。
【００２７】
図３は、第１の実施例における通常投写状態の画像３００の一例を示す図である。例えば、画像投写部１６４における液晶パネルの画像表示領域のアスペクト比（横：縦の比率）が１６：９で、ソース画像のアスペクト比が４：３である場合、画像３００は、ソース画像を表示するソース画像表示領域３１０の左右の外部位置に未使用領域３２０を含む。なお、通常投写状態では、未使用領域３２０は黒で表示される。
【００２８】
判定部１２０は、入力部１１０からの操作情報に基づき、再生中断指示（例えば、ＤＶＤプレーヤー１７０の再生一時停止）があるかどうかを判定する（ステップＳ２）。また、判定部１２０は、入力部１１０からの操作情報に基づき、終了指示（例えば、プロジェクタ１００の電源オフ）があるかどうかを判定する（ステップＳ３）。終了指示があった場合、プロジェクタ１００は処理を終了する。なお、中断指示や終了指示がない場合、プロジェクタ１００は通常投写状態を継続する。
【００２９】
再生中断指示があった場合、プロジェクタ１００は、通常投写状態から照明状態に遷移する前の状態である照明遷移状態に遷移する。この場合、未使用領域把握部１３０は、ソース画像のアスペクト比と、液晶パネルの画像表示領域のアスペクト比とに基づき、未使用領域を把握する（ステップＳ４）。例えば、図３に示す状態の場合、未使用領域把握部１３０は、画像３００の左右端の１２．５％ずつの領域を未使用領域３２０として把握することができる。
【００３０】
制御部１５０は、未使用領域把握部１３０によって把握された未使用領域の輝度値（明るさ値）を記憶部１４０に記憶する（ステップＳ５）。なお、明るさ値としては、例えば、画像信号値、輝度値、画像投写部１６４の光源の制御値等が該当する。ここでは、明るさ値として輝度値を用いるものとする。例えば、未使用領域３２０が黒であれば、輝度値は０である。
【００３１】
そして、制御部１５０は、未使用領域３２０が最も明るくなるように未使用領域３２０の明るさを調整する（ステップＳ６）。例えば、制御部１５０は、画像生成部１６２を制御して未使用領域３２０の輝度値を２５５、すなわち、白に設定させる。
【００３２】
画像生成部１６２は、未使用領域３２０の輝度値を調整した状態で画像を生成し、画像投写部１６４は、当該画像を投写する（ステップＳ７）。これにより、プロジェクタ１００は、照明遷移状態から照明状態に遷移する。図４は、第１の実施例における照明状態の画像３０１の一例を示す図である。
【００３３】
図４に示すように、照明状態の画像３０１では、未使用領域３２０が白で表示され、ソース画像表示領域３１０が低輝度の画像であっても、未使用領域３２０が高輝度であるため、画像３０１は照明として機能する。
【００３４】
判定部１２０は、入力部１１０からの操作情報に基づき、ＤＶＤの再生指示を示す再開指示があるかどうかを判定する（ステップＳ８）。また、判定部１２０は、入力部１１０からの操作情報に基づき、終了指示（例えば、プロジェクタ１００の電源オフ）があるかどうかを判定する（ステップＳ９）。終了指示があった場合、プロジェクタ１００は処理を終了する。なお、再開指示や終了指示がない場合、プロジェクタ１００は照明状態を継続する。
【００３５】
再開指示があった場合、プロジェクタ１００は、照明状態から通常投写状態に遷移する。この場合、制御部１５０は、記憶部１４０に記憶された未使用領域３２０の輝度値を参照して元の輝度値になるように画像生成部１６２を制御することにより、未使用領域３２０の輝度値を元の値に設定する（ステップＳ１０）。
【００３６】
そして、画像生成部１６２は、ＤＶＤプレーヤー１７０からの画像情報に基づくソース画像表示領域３１０を含む画像３００を生成し、画像投写部１６４は、当該画像３００を投写する（ステップＳ１）。
【００３７】
以上のように、本実施例によれば、プロジェクタ１００は、ＤＶＤの再生中断時にソース画像表示領域３１０を含む画像３０１を投写することにより、停止時のＤＶＤプレーヤー１７０からの画像をユーザーに確認させることができる。また、本実施例によれば、プロジェクタ１００は、照明遷移状態になった場合に未使用領域３２０を明るくすることにより、照明としての役割を果たす画像３０１を投写することができる。
【００３８】
これにより、ユーザーは、暗室状態であっても作業しやすく、画像の投写再開後もスムーズに映画鑑賞等を行うことができる。
【００３９】
また、本実施例によれば、プロジェクタ１００は、ユーザーの指示に応じて照明としての役割を果たす画像３０１を投写することができる。また、本実施例によれば、プロジェクタ１００は、画像のアスペクト比と、画像表示領域のアスペクト比との相違に応じて未使用領域３２０を把握することができる。
【００４０】
さらに、本実施例によれば、プロジェクタ１００は、通常投写状態に復帰する際に未使用領域３２０の明るさ値を元の値に戻すことにより、ユーザーに違和感を与えることなく、画像を鑑賞させることができる。
【００４１】
（第２の実施例）
第１の実施例では、未使用領域３２０の画像全体に占める割合が２５％であったが、第２の実施例では、未使用領域３２０の画像全体に占める割合が少なすぎる場合（例えば、１０％未満の場合等）について説明する。
【００４２】
図５は、第２の実施例における通常投写状態の画像３０２の一例を示す図である。例えば、液晶パネルの画像表示領域のアスペクト比が４：３で画像のアスペクト比も４：３の場合、未使用領域３２０はほとんど存在しない。なお、図５に示す例では、プロジェクタ１００の画像拡大縮小機能（電子テレワイド機能）によってソース画像表示領域３１０が若干縮小されているものとする。
【００４３】
画像生成部１６２は、このような状態で照明遷移状態になった場合、画像拡大縮小機能を用いてソース画像表示領域３１０をより縮小する。図６は、第２の実施例における照明状態の画像３０３の一例を示す図である。
【００４４】
具体的には、例えば、未使用領域把握部１３０は、画像全体に占める未使用領域３２０の割合が所定値未満かどうかを判定し、制御部１５０は、当該割合が所定値未満の場合、ソース画像表示領域３１０を縮小させるように画像生成部１６２を制御する。なお、画像全体に占める未使用領域３２０の割合は、例えば、１−パネル使用率×画像拡大縮小率で求められてもよい。例えば、液晶パネルの画像表示領域のアスペクト比が４：３で、ソース画像のアスペクト比が１６：９の場合、パネル使用率は０．７５であり、画像拡大縮小率が０．９の場合、上記割合は０．３２５（３２．５％）になる。
【００４５】
以上のように、本実施例によれば、プロジェクタ１００は、未使用領域３２０の割合が少なすぎる場合に未使用領域３２０の割合を増加させることにより、画像全体の明るさを増加させ、照明としての役割を果たす画像３０３を投写することができる。
【００４６】
（その他の実施例）
なお、本発明の適用は上述した実施例に限定されず、種々の変形が可能である。例えば、未使用領域把握部１３０は、アスペクト比、ソース画像の拡大縮小率だけでなく、ソース画像の表示位置等に基づいて未使用領域３２０を把握してもよい。
【００４７】
また、プロジェクタ１００は、ＤＶＤプレーヤー１７０を内蔵しているが、ＤＶＤプレーヤー１７０を内蔵しなくてもよい。例えば、プロジェクタ１００は、外部の画像供給装置（例えば、ＤＶＤプレーヤー、ＨＤＤレコーダー、ＰＣ等）からの画像情報に基づいて画像を投写してもよい。
【００４８】
このような場合、判定部１２０は、画像供給装置からの画像情報に基づき、画像情報に基づくソース画像が一定時間（例えば、１分等）以上変化しない場合に照明遷移状態になったと判定してもよい。これによれば、プロジェクタ１００は、ソース画像の状態に応じて照明としての役割を果たす画像を投写することができる。
【００４９】
また、プロジェクタ１００は、再生中断時だけでなく再生停止時に照明遷移状態になったと判定し、未使用領域３２０を明るくしてもよい。
【００５０】
また、プロジェクタ１００に照度センサー等を設け、照度に応じて未使用領域３２０の明るさを調整してもよい。これによれば、プロジェクタ１００は、部屋の明るさに応じて未使用領域３２０の明るさを調整することができる。すなわち、未使用領域３２０は、必ずしも最高の明るさに調整される必要はない。
【００５１】
また、プロジェクタ１００は、液晶パネルを用いたプロジェクタには限定されず、例えば、ＤＭＤ（Digital Micromirror Device）を用いたプロジェクタ等であってもよい。なお、ＤＭＤは米国テキサスインスツルメンツ社の商標である。
【図面の簡単な説明】
【００５２】
【図１】第１の実施例におけるプロジェクタの機能ブロック図である。
【図２】第１の実施例における通常投写状態、照明状態、通常投写状態と変化する場合の処理の流れを示すフローチャートである。
【図３】第１の実施例における通常投写状態の画像の一例を示す図である。
【図４】第１の実施例における照明状態の画像の一例を示す図である。
【図５】第２の実施例における通常投写状態の画像の一例を示す図である。
【図６】第２の実施例における照明状態の画像の一例を示す図である。
【符号の説明】
【００５３】
１００  プロジェクタ、１１０  入力部、１２０  判定部、１３０  未使用領域把握部、１４０  記憶部、１５０  制御部、１６０  投写部、１６２  画像生成部、１６４  画像投写部、２００  情報記憶媒体、３００〜３０３  画像、３１０  ソース画像表示領域、３２０  未使用領域
【図１】
2008176139.tif 000003
【図２】
2008176139.tif 000004
【図３】
2008176139.tif 000005
【図４】
2008176139.tif 000006
【図５】
2008176139.tif 000007
【図６】
2008176139.tif 000008